(57)【要約】【課題】発泡樹脂ブロック積層方法、道路盛土構造体、道路盛土工法、立体交差道路およびその施工方法において、上載荷重がかかる場合でも、軽量にして簡素な構成とすることができるようにする。【解決手段】コンクリート版である擁壁底部１６ｂ、コンクリート床版２０の間に、ＥＰＳブロック２６を積層し、それらの間に鋼棒２４を挿通させて緊張力を加え、ＥＰＳブロック２６にプレストレスを導入したＥＰＳブロック積層体３０を構成する。これを盛土材として、その側部をＨ鋼に固定されたコンクリートパネル１５を設け、コンクリートパネル１５とＥＰＳブロック積層体３０の側部の間に気泡モルタル２５を充填して固化させて擁壁を構成する。これらの上にアプローチ道路７ａを設けて道路盛土構造体とし、立体交差道路を施工する。【選択図】　　　図３
2004137671.tif 000002
【特許請求の範囲】
【請求項１】
所定の上載荷重を支持する発泡樹脂ブロックの積層構造体を形成するための発泡樹脂ブロック積層方法であって、
複数の前記発泡樹脂ブロックの上下方向に、緊張材を通しつつ、所定段数積層し、
前記緊張材に所定の緊張力を与えることにより、前記複数の発泡樹脂ブロックに所定のプレストレスを導入した積層構造体を形成することを特徴とする発泡樹脂ブロック積層方法。
【請求項２】
前記所定のプレストレスが、前記発泡樹脂ブロックの積層構造体が支持する前記所定の上載荷重にほぼ対応する大きさを有することを特徴とする請求項１に記載の発泡樹脂ブロック積層方法。
【請求項３】
前記発泡樹脂ブロックを積層するに際して、あらかじめその下側に前記発泡樹脂ブロックを支持する下側荷重伝達版を敷設し、
該下側荷重伝達版に前記緊張材を係止し、
前記発泡樹脂ブロックを所定段数積層した後に、その上側に、該発泡樹脂ブロックを覆うとともに前記緊張材を挿通させる上側荷重伝達版を敷設し、
該上側荷重伝達版および前記下側荷重伝達版を介して、前記緊張材に所定の緊張力を与えることにより、前記所定のプレストレスを導入することを特徴とする請求項１または２に記載の発泡樹脂ブロック積層方法。
【請求項４】
発泡樹脂ブロックを盛土材として盛土し、その上方に、路盤および路面を備える道路を形成する道路盛土工法であって、
前記道路の横断方向の両側に擁壁を築造してから、
該擁壁間において、請求項３に記載の発泡樹脂ブロック積層方法により、所定のプレストレスが導入された発泡樹脂ブロックの積層構造体を形成して盛土したことを特徴とする道路盛土工法。
【請求項５】
前記発泡樹脂ブロックの積層構造体の形成後、該発泡樹脂ブロックの積層構造体と前記擁壁との間に、気泡を含む充填材を充填することを特徴とする請求項４に記載の道路盛土工法。
【請求項６】
下側道路の上方に交差して設けられた交差橋梁部と、該交差橋梁部の延設方向の端部に設けられた道路盛土部とからなり、前記交差橋梁部および前記道路盛土部のそれぞれの上部に上側道路を形成した立体交差道路の施工方法であって、
前記交差橋梁部は、
場所打ち杭を前記下側道路の両側に構築し、
鋼管柱およびその上部に橋軸直角方向に設けられた横桁を備える橋脚を、前記場所打ち杭の上部に立設するとともに、前記鋼管柱内にコンクリートを充填し、
前記橋脚の橋軸方向に縦桁を架設して、
該縦桁上に、上側道路を敷設するための床版を構築することにより形成し、
前記道路盛土部およびその上部に設けられる上側道路は、
請求項４または５に記載の道路盛土工法により形成することを特徴とする立体交差道路の施工方法。
【請求項７】
発泡樹脂ブロックを盛土材として、その上方に路盤および路面を有する道路を形成した道路盛土構造体であって、
前記道路の横断方向の両側に築造された擁壁と、
該擁壁間に敷設された下側荷重伝達版と、
該コンクリート床版上に積層された複数の発泡樹脂ブロックと、
該積層された発泡樹脂ブロックの最上面に配置された上側荷重伝達版と、
前記発泡樹脂ブロックの上下方向に通して配され、前記上側荷重伝達版と前記下側荷重伝達版とを介して、前記発泡樹脂ブロックを上下方向に緊張力を導入して緊結した緊張材とを備える道路盛土構造体。
【請求項８】
前記複数の発泡樹脂ブロックと前記擁壁との間に、気泡を含む充填材を備えることを特徴とする請求項７に記載の道路盛土構造体。
【請求項９】
下側道路の上方に交差して設けられた交差橋梁部と、該交差橋梁部の延設方向の端部に設けられた道路盛土部とからなり、前記交差橋梁部および前記道路盛土部のそれぞれの上部に上側道路が形成された立体交差道路であって、
前記交差橋梁部が、
前記下側道路の横断方向の両側に構築された場所打ち杭と、
該場所打ち杭の上部に、コンクリートが充填された鋼管柱およびその上部に橋軸直角方向に設けられた横桁を備えた橋脚と、
該橋脚の橋軸方向に架設された縦桁と、
該縦桁上に構築された床版とを備え、
前記道路盛土部およびその上部に設けられた上側道路が、
請求項７または８に記載の道路盛土構造体からなることを特徴とする立体交差道路。
【発明の詳細な説明】
【０００１】
【発明の属する技術分野】
本発明は、発泡樹脂ブロック積層方法、道路盛土構造体、道路盛土工法、立体道路およびその施工方法に関する。
【０００２】
【従来の技術】
従来、急傾斜地に段状地を設けたり、段丘または土手状の土地や道路の上面を拡幅したりするために、それら法面の下端に直立擁壁を設け、法面と擁壁との間に盛土材を充填する工法が知られている。
その盛土材として気泡モルタルを用いた例が知られている（例えば、非特許文献１参照）。
この例では、法面に支持材を設置し、それらを、アンカーを打ち込んで法面に固定し、そのようにして補強された法面と擁壁との間を補強金具で結合して、そこへ気泡モルタルを打設している。
一方、そのような盛土材として発泡樹脂ブロックを用いる例が知られている（例えば、特許文献１参照）。
また、従来、立体交差道路の施工では、下側の道路をまたいで交差する道路橋梁部と、その道路橋梁部に接続するために上部に傾斜面を有する道路を備えるアプローチ部とが設けられる場合があった。そしてアプローチ部は、擁壁を設けて、その中に中詰土を盛土材として充填する工法が行われていた。
【０００３】
【特許文献１】
特開平４−２８１９１７号公報（第３−４頁、図３）
【非特許文献１】
ＪＬＡＮＤ、「施工例７」、［ｏｎｌｉｎｅ］、［平成１４年８月８日検索］、インターネット＜ＵＲＬ：ｈｔｔｐ：／／ｗｗｗ．ｊｌａｎｄ．ｃｏ．ｊｐ／ｊｌａｎｄ／ｔｅｘｔ／ｓｅ０７．ｈｔｍ＞
【０００４】
【発明が解決しようとする課題】
しかしながら、上記の従来技術に係る盛土工法には、以下のような問題があった。
非特許文献１に記載の技術では、気泡モルタルに自立性がないため、法面から気泡モルタルにかかる土圧は、擁壁ですべて支持しなければならなかった。そのため、法面を支持材で補強して、擁壁と支持材とを補強金具で固定して法面と一体化することが不可欠であった。これらの補強や補強金具の取付などの施工には、支持材や補強金具のコストと多大な作業時間を要したので施工コストが増大するという問題があった。
【０００５】
特許文献１に記載の技術では、水平方向にすべりが生じないように発泡樹脂ブロックを積み上げることにより、圧縮荷重を受けても側方への変形がきわめて小さいという発泡樹脂ブロックの特性を生かした垂直の自立面を形成するので、背面側に法面から働く土圧をある程度支持することができるから、擁壁の支圧力を比較的低くすることができる。
ところが、発泡樹脂ブロックは長期的な剛性が低いので、道路のように交通荷重などの上載荷重が繰り返し作用する構造物では、上載荷重により供用後の沈下量が大きくなり、何度も道路面の高さを、補修で調整しなければならないという問題があった。特に、道路橋梁部と高さを合わせて接続することが求められる立体交差道路のアプローチ部で、このような盛土工法を用いると不具合が生じるという問題があった。
【０００６】
このため、従来の立体交差道路は、図７に示すような構成がとられていた。
図７（ａ）に示したのは、そのような従来の立体交差道路の概略構成を説明するための断面説明図である。図７（ｂ）は、図７（ａ）におけるＪ−Ｊ断面図である。
立体交差道路６０は、道路橋梁部６０ａとアプローチ部６０ｂとからなり、アプローチ部６０ｂは適宜の土砂、砂利などからなる中詰土６２を盛土材とし、側部にＬ形擁壁６７、６７を設け、道路橋梁部６０ａとの接続部には、橋台６３を設けて中詰土６２を囲い込む盛土工法により形成されている。中詰土６２の上には、舗装部６６が設けられて上側道路が形成されるが、それらが上載荷重として作用するため、中詰土６２が上から押されて、Ｌ形擁壁６７、６７と橋台６３には中詰土６２の自重も含めた大きな側圧が生じる。
このため、Ｌ形擁壁６７、橋台６３は、かなり頑丈な擁壁側部６７ａ、橋台本体６３ａをそれぞれ壁体として備え、さらにそれらを支持するために大きな擁壁底部６７ｂ、橋台底版６３ｂを備えていた。したがって、それらを支持する基礎は、杭基礎６５とする必要があった。
【０００７】
このような構成では、非常に大掛かりな施工となるため、例えば交通渋滞緩和のために都心部の道路交差点を立体交差道路とする施工においては、長期にわたって交通遮断や通行制限を課す必要が生じ、工期中にはかえって交通渋滞の原因となってしまうという問題があった。
このため、上部に道路などの上載荷重を有する場合でも、短い工期で簡素に施工することができる盛土工法、特に、立体交差道路施工などに適する盛土工法が強く求められていた。
【０００８】
本発明は、このような問題に鑑みてなされたものであって、交通荷重などの上載荷重がかかる場合でも、軽量にして簡素な構成とすることができ、施工効率に優れる発泡樹脂ブロック積層方法、道路盛土構造体、道路盛土工法、立体交差道路およびその施工方法を提供することを目的とする。
【０００９】
【課題を解決するための手段】
【００１０】
上記の課題を解決するために、請求項１に記載の発明では、所定の上載荷重を支持する発泡樹脂ブロックの積層構造体を形成するための発泡樹脂ブロック積層方法であって、複数の前記発泡樹脂ブロックを、上下方向に緊張材を通しつつ、所定段数積層し、前記緊張材に所定の緊張力を与えることにより、前記複数の発泡樹脂ブロックに所定のプレストレスを導入した積層構造体を形成することを特徴とする発泡樹脂ブロック積層方法とする。
この発明によれば、発泡樹脂ブロックは、初期状態で、緊張材によりプレストレスをかけられて圧縮されているが、上載荷重がかかってさらに圧縮されると、緊張材の伸びが減少して緊張力が徐々に減少し、その分だけ発泡樹脂ブロックにかかる全荷重も減少し、発泡樹脂ブロックの圧縮による弾性反力、緊張材の緊張力および上載荷重がつりあったときの発泡樹脂ブロックの圧縮幅が、最終的には上載荷重のみが作用したときの圧縮幅よりも少なくなり、しかも、その圧縮幅の大きさを上載荷重に応じて所定のプレストレスを選択することにより適宜に設定することができるから、上載荷重が加わった場合における発泡樹脂ブロックの積層構造体の高さ変化、すなわち沈下量を所定値以内に低減することができる。
【００１１】
請求項２に記載の発明では、請求項１に記載の発泡樹脂ブロック積層方法において、前記所定のプレストレスが、前記発泡樹脂ブロックの積層構造体が支持する前記所定の上載荷重にほぼ対応する大きさを有するようにする。
この発明によれば、発泡樹脂ブロックの積層構造体の沈下量を低減するための、簡易な設定条件を与えることができる。
【００１２】
請求項３に記載の発明では、請求項１または２に記載の発泡樹脂ブロック積層方法において、前記発泡樹脂ブロックを積層するに際して、あらかじめその下側に前記発泡樹脂ブロックを支持する下側荷重伝達版を敷設し、該下側荷重伝達版に前記緊張材を係止し、前記発泡樹脂ブロックを所定段数積層した後に、その上側に該発泡樹脂ブロックを覆うとともに、前記緊張材を挿通させる上側荷重伝達版を敷設し、該上側荷重伝達版および前記下側荷重伝達版を介して、前記緊張材に所定の緊張力を与えることにより、前記所定のプレストレスを導入する。
この発明によれば、下側荷重伝達版と上側荷重伝達版とによって、複数の発泡樹脂ブロックに対して均等かつ容易にプレストレスを与えることができるとともに、発泡樹脂ブロックの積層構造体の不陸や段差の修正が容易となる。
【００１３】
請求項４に記載の発明では、発泡樹脂ブロックを盛土材として盛土し、その上方に、路盤および路面を備える道路を形成する道路盛土工法であって、前記道路の横断方向の両側（前記道路の延設方向の左右両側）に、擁壁を築造してから、該擁壁間において、請求項３に記載の発泡樹脂ブロック積層方法により、所定のプレストレスが導入された発泡樹脂ブロックの積層構造体を形成して盛土したことを特徴とする道路盛土工法とする。
この発明によれば、軽量の発泡樹脂ブロックを盛土材とするので、盛土作業が容易となり、しかも軟弱地盤上であっても地盤改良などの補助工法を導入することなく簡易かつ迅速に施工でき、さらに、請求項３に記載の発明と同様の作用効果を備える道路盛土工法とすることができる。
【００１４】
請求項５に記載の発明では、請求項４に記載の道路盛土工法において、前記発泡樹脂ブロックの積層構造体の形成後、該発泡樹脂ブロックの積層構造体と前記擁壁との間に、気泡を含む充填材を充填する。
この発明によれば、流動性のよい気泡を含む充填材を発泡樹脂ブロックの積層構造体と擁壁との間に充填するので、効率よく擁壁の補強施工を行うことができ、気泡を含む充填材は、固化した後、外部からの衝撃を吸収し、熱を遮断するから、発泡樹脂ブロックを衝突事故などに対する耐衝撃性や火災などに対する耐火性を向上させることができる。
【００１５】
請求項６に記載の発明では、下側道路の上方に交差して設けられた交差橋梁部と、該交差橋梁部の延設方向の端部に設けられた道路盛土部とからなり、前記交差橋梁部および前記道路盛土部のそれぞれの上部に上側道路を形成した立体交差道路の施工方法であって、前記交差橋梁部は、場所打ち杭を前記下側道路の横断方向の両側に構築し、鋼管柱およびその上部に橋軸直角方向に設けられた横桁を備える橋脚を、前記場所打ち杭の上部に立設するとともに、前記鋼管柱内にコンクリートを充填し、前記橋脚の橋軸方向に縦桁を架設して、該縦桁上に、上側道路を敷設するための床版を構築することにより形成し、前記道路盛土部およびその上部に設けられる上側道路は、請求項４または５に記載の道路盛土工法により形成することを特徴とする立体交差道路の施工方法とする。
この発明によれば、道路盛土部および上側道路は、請求項４または５に記載の発明と同様の作用効果を備え、さらに、交差橋梁部は、場所打ち杭を橋梁基礎とし、鋼管柱と横桁による簡素な橋脚を用いて形成することができ、いずれも簡易な施工とすることができるので、工期の短縮を図ることができる。
【００１６】
請求項７に記載の発明では、発泡樹脂ブロックを盛土材として、その上方に路盤および路面を有する道路を形成した道路盛土構造体であって、前記道路の横断方向の両側に築造された擁壁と、該擁壁間に敷設された下側荷重伝達版と、該コンクリート床版上に積層された複数の発泡樹脂ブロックと、該積層された発泡樹脂ブロックの最上面に配置された上側荷重伝達版と、前記発泡樹脂ブロックの上下方向に通して配され、前記上側荷重伝達版と前記下側荷重伝達版とを介して、前記発泡樹脂ブロックを上下方向に緊張力を導入して緊結した緊張材とを備える。
この発明は、請求項４に記載の道路盛土工法により形成することができるので、請求項４に記載の発明と同様な作用効果を奏する。
【００１７】
請求項８に記載の発明では、請求項７に記載の道路盛土構造体において、前記複数の発泡樹脂ブロックと前記擁壁との間に、気泡を含む充填材を備える。
この発明は、請求項５に記載の道路盛土工法により形成することができるので、請求項５に記載の発明と同様な作用効果を奏する。
【００１８】
請求項９に記載の発明では、下側道路の上方に交差して設けられた交差橋梁部と、該交差橋梁部の延設方向の端部に設けられた道路盛土部とからなり、前記交差橋梁部および前記道路盛土部のそれぞれの上部に上側道路が形成された立体交差道路であって、前記交差橋梁部が、前記下側道路の両側に構築された場所打ち杭と、該場所打ち杭の上部に、コンクリートが充填された鋼管柱およびその上部に橋軸直角方向に設けられた横桁を備えた橋脚と、該橋脚の橋軸方向に架設された縦桁と、該縦桁上に構築された床版とを備え、前記道路盛土部およびその上部に設けられた上側道路が、請求項７または８に記載の道路盛土構造体からなる。この発明は、請求項６に記載の立体交差道路の施工方法により形成することができるので、請求項６に記載の発明と同様な作用効果を奏する。
【００１９】
【発明の実施の形態】
以下では、本発明の実施の形態を、添付図面を参照して説明する。すべての図面において、同一または相当する部材には同一の符号を付すことにより、その説明を省略する。
本発明の実施の形態の説明は、本発明に係る立体交差道路の一実施形態を説明し、その説明を通じて、本発明に係る道路盛土構造体の一実施形態を説明し、さらに、それらを形成するための本発明に係る発泡樹脂ブロック積層方法、道路盛土工法および立体交差道路の施工方法の一実施形態を説明することにより行う。
【００２０】
本発明の実施形態に係る立体交差道路１について説明する。
図１（ａ）は、本発明の実施形態に係る立体交差道路１の概略構成を説明するための平面説明図であり、図１（ｂ）は、図１（ａ）におけるＡ−Ａ断面図である。図２（ａ）、（ｂ）、（ｃ）は、それぞれ、図１（ａ）におけるＢ視の側面説明図、Ｃ−Ｃ断面図、Ｄ−Ｄ断面図である。図３（ａ）は、図１（ａ）のＥ−Ｅ断面図である。図３（ｂ）は、図３（ａ）におけるＦ部の部分拡大図である。図４（ａ）は、図３（ｂ）におけるＧ−Ｇ断面図である。図４（ｂ）は、図１（ａ）におけるＨ−Ｈ断面図である。図５は、図３（ａ）を簡略化した概略断面図である。
なお、立体交差道路１は、交差部をまたいで水平方向左右が対称であるため、図１（ａ）、（ｂ）および図２（ａ）では、対称な他方部分の図示を省略している。図中の一点鎖線は対称軸を示す。
【００２１】
立体交差道路１は、図１に示したように、互いに同一平面でほぼ直角に交差する道路４（下側道路）、５の交差点において、道路５の車線延設方向に向けて道路４をまたぐように架橋された交差橋梁部２と、交差橋梁部２の橋梁端部と道路５とを接続するためのアプローチ道路７ａ（上側道路）を形成するための道路盛土部３とから構成されている。
立体交差道路１は、道路５の車線のほぼ中央に設けられている。そして、その両脇の車線は、立体交差道路１の施工中も通行可能とされ、施工終了後は、道路４方向へ曲がるための車線として用いられる。なお、符号６は、歩道を示す。
【００２２】
道路盛土部３の概略構成は、橋梁部擁壁１０、Ｌ形擁壁１６、ＥＰＳ盛土部８ａ（道路盛土構造体）、入口スロープ部８ｂおよびアプローチ道路７ａを備える。
橋梁部擁壁１０は、図４（ｂ）に示したように、交差橋梁部２の橋軸方向端部に隣接して鉛直方向に延ばされた擁壁側部１０ａと、その下端部から交差橋梁部２の反対側に水平方向に延ばされた擁壁底部１０ｂ（下側荷重伝達版）とを備え、道路盛土部３の延設方向断面においてＬ字状断面を有する部材である。擁壁底部１０ｂは、道路５から適宜深さだけ掘削された地盤上に、例えば、砂や砂利などの基礎材１１を水平に敷き詰めて配置されている。
橋梁部擁壁１０は、プレキャストコンクリートブロックとして製造しておいたものを配設する。
【００２３】
Ｌ形擁壁１６は、図３（ａ）に示したように、基礎材１１上に配設された、道路盛土部３の延設方向と直交する断面でＬ字状断面を有する部材である。すなわち、基礎材１１上に配置される擁壁底部１６ｂ（下側荷重伝達版）と、その端部から鉛直方向に延ばされ、道路５から適宜の高さだけ延出される擁壁側部１６ａとからなる。Ｌ形擁壁１６は、プレキャストコンクリートブロックとして製造しておいたものを配設する。
【００２４】
Ｌ形擁壁１６は、道路盛土部３の延設方向の左右にそれぞれ対向されている。そして、対向する擁壁側部１６ａ、１６ａの間にＥＰＳ盛土部８ａなどを配置する空間を形成するように、擁壁底部１６ｂ、１６ｂ同士の対向先端をつき合わせてコ字状をなすように配置する。すなわち、擁壁底部１６ｂ、１６ｂは、基礎材１１の上部を隙間なく覆うコンクリート床版を形成している。
また、道路盛土部３の延設方向には、適宜の長さに分割されたＬ形擁壁１６を隣接配置することにより、同様なコ字状断面をなすように延設されている。
【００２５】
ＥＰＳ盛土部８ａは、ＥＰＳブロック積層体３０（発泡樹脂ブロックの積層構造体）、それの外周を覆う耐薬品シート３３（図５参照）およびそれらを擁壁側部１６ａ、１６ａの間で挟持する盛土部擁壁３４（擁壁）を備える。
【００２６】
ＥＰＳブロック積層体３０は、擁壁底部１６ｂ、１６ｂの上に、発泡スチロール（Ｅｘｐａｎｄｅｄ　Ｐｏｌｙｓｔｙｒｅｎｅ、ＥＰＳ）からなるＥＰＳブロック２６（発泡樹脂ブロック）が互い違いに組み上げられ、それらの上下方向に適宜本数の鋼棒２４（緊張材）が挿通され、鋼棒２４に緊張力を与えてＥＰＳブロック２６に緊結し、それによりＥＰＳブロック２６を所定高さに圧縮してプレストレスを導入したものである。具体的には、積層されたＥＰＳブロック２６の最上面には、プレキャストコンクリート版からなるコンクリート床版２０（上側荷重伝達版）が水平に配置され、鋼棒２４は、下端が擁壁底部１６ｂに係止されて、上端がコンクリート床版２０の上面まで貫通され、緊張力を付与された上、コンクリート床版２０に係止されている。
【００２７】
コンクリート床版２０は、鋼棒２４により導入されるプレストレス荷重を水平面内に均等に分散・伝達して、広範囲で均一なプレストレスを形成するために設けられている。
鋼棒２４は、緊張力を付与することができる鋼棒であればどのような材質や断面形状でもよいので、できるだけ安価な材質を用いるのがよい。また、施工効率上は、自立性が維持される程度の剛性を有する太さの棒部材が好ましい。
【００２８】
図３（ａ）は、ＥＰＳブロック積層体３０のうち最も高く積層された位置での断面を示している。道路盛土部３は、その延設方向に傾斜を有するので、ＥＰＳブロック２６の積層段数は場所により異なる。そのため、ＥＰＳブロック積層体３０は、道路盛土部３の延設方向断面では、図６に示したように階段状とされ、下面はすべて水平床面を形成する擁壁底部１６ｂに押圧されるものの、上面はそれぞれの段毎に別個のコンクリート床版２０が配され、それぞれに対して適宜本数の鋼棒２４が配置されている。
【００２９】
そして、図３（ａ）に示したように、ＥＰＳブロック積層体３０の所定段数位置には、プレキャストコンクリート版からなり、鋼棒２４を挿通させるための挿通孔を有する中間床版９が配置されている。
中間床版９を設けることにより、ＥＰＳブロック２６の積層途中でも、ＥＰＳブロック２６の不陸や段差が是正される。中間床版９の上からは水平面に積層することになるため、積層作業が容易となるという利点がある。また、コンクリート床版２０と同様に、鋼棒２４により導入されるプレストレス荷重を水平面内に均等に分散・伝達して、広範囲で均一なプレストレスを形成することができるという利点がある。
【００３０】
ここで、このようなＥＰＳブロック積層体３０を形成するための本実施形態に係る発泡樹脂ブロック積層方法について説明する。
まず、ＥＰＳブロック２６の積層に先立って、擁壁底部１６ｂの所定位置に複数の鋼棒２４を係止する。これは、所定の緊張力を付与したときに、外れない限りは、どのように係止してもよい。例えば、鋼棒２４の先端にアンカーを取り付けて、擁壁底部１６ｂに機械的に定着してもよいし、ねじ止めしたり、コンクリート充填により係止したりしてもよい。
【００３１】
そして、例えば互い違いにするなど、周知の組み上げ方により、擁壁底部１６ｂの上からＥＰＳブロック２６を積層する。鋼棒２４を挿通させるＥＰＳブロック２６にはあらかじめ所定位置に挿通孔を設けておく。その際、緊張材として自立性のある鋼棒２４を用いれば、挿通作業がきわめて容易となるという利点がある。
【００３２】
所定段数を積層したら、必要に応じて中間床版９を配置する。そして、所定の積み上げ段数に到達したところには、その上面にコンクリート床版２０を配置する。
そして、すべて積層されてから、緊張ジャッキなどを用いて、各鋼棒２４に緊張力を付与して、コンクリート床版２０を通じてＥＰＳブロック２６を押圧圧縮する。所定のプレストレスを導入した時点で、順次、鋼棒２４をコンクリート床版２０に係止する。係止手段は、どのような手段でもよいが、例えば、ナットによるねじ式を採用することができる。
【００３３】
プレストレスの大きさは、適宜の大きさとしてよいが、ＥＰＳブロック積層体３０の上方にあるアプローチ道路７ａなどの交通荷重を含む上載荷重から決まる荷重と同程度とすることが好ましい。
このようにして、所定のプレストレスが導入されたＥＰＳブロック積層体３０を形成することができる。
【００３４】
ここで、プレストレスの作用について説明する。
ＥＰＳブロック２６は、高い圧縮強度を備えているが、弾性体としての縦弾性係数は、例えば鉄鋼などの金属に比べて著しく劣る。すなわち、荷重に対する変形量が大きいという特徴がある。そのため、プレストレスを与えずに積層し、上載荷重となるアプローチ道路７ａなどを施工すると、長年の交通荷重の繰り返しとともに、次第に圧縮量が大きくなり、交通繰り返し回数の進展とともにアプローチ道路７ａの路面の高さが徐々に大きく変化する（この高さ変化を沈下量と呼ぶことにする）。沈下量は計算できるので予測可能であるが、沈下量そのものが大きいので、材料の縦弾性係数のばらつきや施工誤差などにより、沈下量もばらつきやすい。その結果、道路供用後の路面高さを正確に予測することは難しかった。
【００３５】
そこで、本実施形態の場合を考察する。例えば、ＥＰＳブロック積層体３０に交通荷重などの上載荷重にほぼ等しいプレストレスをかける場合について考える。
この場合、ＥＰＳブロック積層体３０は、上載荷重がかかった場合と同じ高さに圧縮されている。一方、鋼棒２４は、上載荷重を緊張力として引っ張られている。このとき、縦弾性係数の違いから、ＥＰＳブロック積層体３０の圧縮量に比べ、鋼棒２４の伸長量は著しく小さいものとなる。
【００３６】
この状態から、上載荷重がかけられたとする。ＥＰＳブロック積層体３０は、当然さらに圧縮されるが、同時に、鋼棒２４の伸長量は減少する。例えば、鋼棒２４が自然長さに戻るとすると、鋼棒２４の緊張力はゼロになり、ＥＰＳブロック積層体３０には、上載荷重のみがかかるが、この状態では、ＥＰＳブロック積層体３０は圧縮されすぎていることになるから、実際には、ＥＰＳブロック積層体３０の圧縮反力、鋼棒２４の緊張力および上載荷重は、そこまで圧縮される以前の圧縮量（沈下量）でつりあっていなければならない。すなわち、上載荷重をかけたことによる沈下量は、必ず鋼棒２４の伸長量よりも小さくなる。具体的に計算すれば分かるが、ＥＰＳブロック積層体３０の初期圧縮量よりもきわめて小さい値となる。
【００３７】
このプレストレスとＥＰＳブロック積層体３０の沈下量との関係は、力の釣り合いから、容易に計算できる。一般にプレストレスを大きくすればするほど、沈下量は低減することができる。ただし、上載荷重とほぼ同じプレストレスとすれば、設計上も簡易であり、しかも十分に実用的な圧縮量とすることができるものである。
【００３８】
このように、プレストレスを加えることにより、ＥＰＳブロック積層体３０が施工中に沈下する沈下量を著しく低減することができる。その結果、沈下量のばらつき幅も小さくなるから、路面高さを安定させる施工が可能となる。
また、道路盛土構造体として供用後には、交通荷重などの繰り返し変動荷重が作用するが、これに対しても、変動沈下量、すなわち変動ひずみが小さく抑えられるので、路面の沈下量が抑制され、経時変化に伴う路面のメンテナンスの必要性を低減できるという利点がある。
【００３９】
耐薬品シート３３は、有機溶剤などに対する耐薬品性の劣るＥＰＳブロック２６を保護し、経時劣化を防止するためのシート部材であり、図５に示したように、少なくともＥＰＳブロック積層体３０の側面および上面を覆って配置される。耐薬品シート３３の材質は、例えばポリオレフィン系樹脂などの耐薬品性に優れた合成樹脂をシート加工したものなどが採用できる。ただし、発泡樹脂ブロックとして耐薬品性に優れる材質を用いる場合には、耐薬品シート３３は、必ずしも設けなくてもよい。
【００４０】
次に、盛土部擁壁３４について説明する。
盛土部擁壁３４は、図４（ａ）に示したように、Ｈ鋼３１、コンクリートパネル１５および気泡モルタル２５（気泡を含む充填材）を備えてなる。
Ｈ鋼３１は、図３（ａ）に示したように、それぞれのＬ形擁壁１６の内側に擁壁底部１６ｂ上に擁壁側部１６ａに沿って鉛直方向に立設されており、道路盛土部３の延設方向には、それらが所定ピッチを空けて配列された柱部材である。
コンクリートパネル１５は、盛土部擁壁３４の外壁面を構成するように、それらＨ鋼３１を外側から覆うように取り付けられている外壁部材である。
【００４１】
気泡モルタル２５は、モルタルに気泡を混入させ、軽量かつ高流動性の充填材としたもので、ＥＰＳブロック積層体３０の側面とコンクリートパネル１５との間の隙間に充填されて固化されたものである。
Ｈ鋼３１とＥＰＳブロック積層体３０（耐薬品シート３３）は、当接してもよいが、わずかに隙間を空けて、気泡モルタル２５がその隙間に充填されるようにすれば、Ｈ鋼３１とＥＰＳブロック積層体３０との間を断熱することができるから、より好ましい。
【００４２】
気泡モルタル２５は、例えば、モルタルに気泡製造機で製造した気泡を攪拌混合することにより製造することができる。また、例えば、モルタル内のアルカリ分と化学反応して気泡を発生する発泡剤を添加して製造してもよい。
気泡モルタル２５の気泡含有量は、それぞれの製造方法特有の方法で制御することができる。そして、その気泡含有量は固化後の所定の剛性、強度および断熱特性を備えるように適宜に設定する。
【００４３】
気泡モルタル２５の固化後強度は、コンクリートパネル１５と一体化した状態で、想定応力に耐える剛性や強度を備え、しかも想定衝撃荷重に耐えることが最も好ましい。しかし、想定衝撃荷重によりその衝撃エネルギーを吸収しながら部分的に破損し、損傷が気泡モルタル２５内に留まるような強度に設定してもよい。そうすれば、コンクリートパネル１５および気泡モルタル２５は損傷するとしても、ＥＰＳブロック積層体３０の健全性は保たれるから、盛土部擁壁３４を補修するのみで、道路盛土部３を継続使用することが可能となる。
また気泡モルタル２５の断熱特性は、道路５側の想定火災条件において、ＥＰＳブロック２６の溶融および発火が起こらないように設定する。
【００４４】
次に、盛土部擁壁３４の上方に設けられるアプローチ道路７ａの構成について説明する。
アプローチ道路７ａは、盛土部上に形成される周知の道路と同様な構成を用いることができ、本実施形態では、コンクリート床版２０を路床とするアスファルト舗装の例を示した。すなわち、図３（ｂ）に示したように、コンクリート床版２０の上方に、路盤材２７、粒度調整砕石層２９ｂ、瀝青安定処理層２９ａ、基層２８ｂ、路面表層２８ａ（路面）が、それぞれ形成され、幅方向の左右に盛土部路肩形成ブロック１７が設けられている。
【００４５】
路盤材２７は、階段状に配置されたコンクリート床版２０の上に、斜面状の路盤を形成するためのもので、例えばクラッシャランなどを採用することができる。
盛土部路肩形成ブロック１７は、路盤材２７および盛土部擁壁３４上に配置され、路肩と側壁を形成するためのコンクリートブロックである。
粒度調整砕石層２９ｂは、適宜粒度の砕石を、盛土部路肩形成ブロック１７の底部および路盤材２７上面を覆うように敷き詰めた層であり、それにより、路盤上に、より滑らかな斜面を形成する。
瀝青安定処理層２９ａは、粒度調整砕石層２９ｂ上に設けられ、斜面を一体化している。
そして、その上に、アスファルトにより、基層２８ｂ、路面表層２８ａが形成されている。
【００４６】
次に、入口スロープ部８ｂについて説明する。
入口スロープ部８ｂは、道路盛土部３と道路５の段差を円滑に繋ぐための傾斜部であり、図２（ｃ）に示したような断面を備える。すなわち、基礎材１１上に擁壁底部１６ｂに接続するコンクリート床版３５を設け、その左右の側部に、コンクリート版からなる擁壁２２を設け、それらで囲まれる空間に砂２１を埋め戻し、その上部にアプローチ道路７ａを延設してなるものである。
【００４７】
次に、以上に説明した道路盛土部３を形成する道路盛土工法について説明する。
道路５の中央部を道路４と交差点近傍から所定距離において適宜の深さだけ掘削する。その上に基礎材１１を敷き均して、水平面を形成する。
その上に橋梁部擁壁１０、Ｌ形擁壁１６、コンクリート床版３５を配設し、基礎材１１上が擁壁底部１６ｂとコンクリート床版３５で覆われるようにする。そして、Ｈ鋼３１を建て込んで、コンクリートパネル１５を取り付け、入口スロープ部８ｂには、擁壁２２を設置する。
【００４８】
そして、上記に説明した発泡樹脂ブロックの積層方法を用いて、擁壁底部１６ｂ上にＥＰＳブロック積層体３０を設ける。そして、コンクリートパネル１５とＥＰＳブロック積層体３０の間に気泡モルタル２５を充填して固化させ、盛土部擁壁３４を形成する。
それから、ＥＰＳブロック積層体３０の上面と盛土部擁壁３４で囲まれる階段状部分に、路盤材２７を敷設し、傾斜面を形成する。入口スロープ部８ｂには、砂２１を埋め戻す。さらに、その上に、盛土部路肩形成ブロック１７を固設して、アプローチ道路７ａを施工する。
このようにして、道路盛土部３を形成することができる。ここで、入口スロープ部８ｂを構築する以外の工法は、ＥＰＳ盛土部８ａを構築するための道路盛土工法となっている。
【００４９】
次に、交差橋梁部２について説明する。
交差橋梁部２の概略構成は、図２（ａ）、（ｂ）に示したように、場所打ち杭１４、橋脚１３、縦桁１２および橋梁道路７ｂを備える。
場所打ち杭１４は、橋脚１３を支持するために、道路盛土部３の延設方向における擁壁側部１０ａの隣接位置２箇所に設けられた杭基礎であり、杭孔に鉄筋１４ａを建て込んで、コンクリートを打設したものである。
橋脚１３は、２本の鋼管柱に支持されて擁壁側部１０ａに平行かつ橋軸直角方向に配置される横桁１３ａを備えた門型の鋼・コンクリート複合構造物で、図４（ｂ）に示したように、それぞれの鋼管柱が場所打ち杭１４の杭頭にコンクリート１４ｂにより固定されている。そして、鋼管柱は、固定後、その内部にコンクリート１３ｃが充填されることにより、それぞれコンクリート充填鋼管柱１３ｂとされている。
縦桁１２は、横桁１３ａ上に支承３２により支持され、橋軸方向に架設された鋼製桁部材である。
橋梁道路７ｂは、縦桁１２上に設けられた鉄筋コンクリートブロックからなる橋梁部床版形成ブロック１８（床版）上に、適宜の路盤形成材料にからなる橋梁部路盤２３、コンクリートまたはアスファルトなどからなる路面表層２８ａを備えている。
【００５０】
本実施形態に係る立体交差道路１は、交差橋梁部２を橋脚１３、１３により道路盛土部３とは独立に支持するので、その施工に際して、交差橋梁部２と道路盛土部３とを並行して施工することができる。そのため、本実施形態に係る立体交差道路の施工方法は、交差橋梁部２の施工方法と、道路盛土部３の施工方法に分けることができる。
【００５１】
交差橋梁部２の施工方法は、まず、道路４の所定位置を削孔し、鉄筋１４ａを建て込み、道路５よりわずかに低い柱頭部まで、コンクリートを打設して、場所打ち杭１４を形成する。
そして、門型に形成された橋脚１３の鋼管柱を柱頭部に配置し、鋼管柱の周りにコンクリート１４ｂを打設して柱頭部と接合する。そして、鋼管柱の内部には、コンクリート１３ｃを打設する。
なお同様にして、道路４を挟んで対向する側にも橋脚１３を設ける。
そして、それぞれ横桁１３ａの上部に支承３２を配設し、対向する橋脚１３間に縦桁１２を架設する。さらに、縦桁１２の上部に橋梁部床版形成ブロック１８を固定して、その上面に橋梁道路７ｂを施工する。
【００５２】
道路盛土部３の施工方法は、上記に述べた通りなので、説明を省略する。
このようにして、立体交差道路１を施工することができる。
【００５３】
このような立体交差道路１によれば、交差橋梁部２と道路盛土部３とを並行して施工できるので、施工の効率を向上することができる。
さらに、交差橋梁部２の施工方法においては、道路盛土部３を支えるための頑丈な橋台などの構造を備える必要がなく、橋梁のみを支えるために、鋼管柱を用いた簡素な鋼・コンクリート複合構造の橋脚１３を用いることができる。そして、橋脚１３の基礎が橋脚ごとの場所打ち杭１４で形成されているために、軟弱地盤であっても基礎施工が容易となる。それらの結果として、施工工期短縮と施工コストの低減が可能となるという利点がある。
【００５４】
道路盛土部３の施工方法においては、軽量なＥＰＳブロック２６を盛土材とするので、支持面を擁壁底部１６ｂなどのコンクリート版により簡素に形成することができる。しかも、軟弱地盤などであってもそれほど沈下することがないから、地盤改良などの手間をかけることなくそのまま容易に施工することができるという利点がある。
【００５５】
また、自立性のあるＥＰＳブロック２６を盛土材として用いるので、上方から荷重がかかってもほとんど側圧は生じないから、簡素な擁壁構造とすることができる。
そのため、橋梁部擁壁１０は、比較的薄肉のプレキャストコンクリートで製作して基礎材１１上に配設するだけで形成することができ、大掛かりな杭基礎などの施工を必要としない。
【００５６】
また、盛土部擁壁３４も、ＥＰＳブロック積層体３０とコンクリートパネル１５の間に、軽量で流動性が高い気泡モルタル２５を充填して固化させるだけの迅速な施工が可能となる。
しかも、気泡モルタル２５により、耐衝撃荷重特性、耐火・耐熱性が向上されるから、自動車の衝突事故やそれによる火災の発生しやすい道路わきにおいても、高信頼性を備える道路盛土部３を構築することができるという利点がある。
【００５７】
なお、上記の説明では、発泡樹脂ブロックの積層構造体と道路盛土構造体とを、それぞれ立体交差道路に用いた例で説明した。これは、本発明の一実施形態であって、本発明の発泡樹脂ブロックの積層構造体は道路形成以外の盛土工法に用いてもよく、また、本発明の道路盛土構造体も、立体交差道路に限らず盛土して構築するどのような道路に用いてもよいことは言うまでもない。
【００５８】
また、上記の説明では、発泡樹脂ブロックは、発泡スチロール（ＥＰＳ）を用いた例で説明したが、ＥＰＳと同様に自立性を備え、圧縮荷重下で大きく側方に変形しない発泡樹脂であれば、どのような材料を用いてもよい。
【００５９】
さらに、上記の説明では、気泡を含む充填材として気泡モルタル２５を用いた例で説明した。このようにすれば、大部分が独立気泡からなるため、高強度で通気性のないものとすることができる。
一方、ポーラスコンクリートなどの連続気泡を備える充填材を用いてもよい。その場合でも空気層を内蔵するので、断熱効果を有する。さらに、雨水を保持する保水性があるから、耐火性が高いという利点もある。
【００６０】
また、上記の説明では、工期を短縮できるように、橋梁部擁壁１０、Ｌ形擁壁１６などをプレキャストコンクリートとした例で説明したが、本発明は、発泡樹脂ブロックの採用により工期が短縮できるとともに、これら発泡樹脂ブロックを支持する構造が簡素化されているので、施工の都合によっては、これらコンクリート部材は現場打ちで形成してもよい。
【００６１】
また、上記の説明では、下側荷重伝達版として、擁壁底部１６ｂ、１６ｂを突き合わせて用いる例で説明したが、擁壁底部１６ｂ、１６ｂ間に、別部材のコンクリート版を配置して下側荷重伝達版としてもよい。そのようにすれば、Ｌ形擁壁１６が簡素に製作でき、また、道路幅が広い立体道路の施工も容易となる。
【００６２】
また、上記の説明では、ＥＰＳブロック積層体３０の下面を同一平面に配置する例で説明したが、下面側も階段状に掘削して、発泡樹脂ブロックの積層構造体の厚みを一定、もしくは厚みのばらつきを低減するように、発泡樹脂ブロックの下面も階段状とする構成にしてもよい。そのようにすれば、発泡樹脂ブロックの圧縮ひずみのばらつきがなくなるか、少なくすることができ、全体として耐久性を向上することができるという利点がある。
【００６３】
また、上記の説明では、緊張材は自立性のある太さの鋼棒としたが、発泡樹脂ブロックの積層中に吊り上げて仮支持しておけば、例えばＰＣワイヤーなどの自立性のない緊張材を採用してもよい。
【００６４】
また、上記の説明では、橋脚１３は、鋼管柱に横桁１３ａが取り付けられた門型の橋脚を配設する例で説明したが、橋脚の大きさが大きすぎるなどの場合は、鋼管柱と横桁とを別部材として、場所打ち杭１４上に鋼管柱を固定し、コンクリートを打設してから、その上に横桁を接合する、というように、分離して施工するようにしてもよい。
【００６５】
【発明の効果】
以上に述べたように、本発明の発泡樹脂ブロック積層方法、道路盛土構造体、道路盛土工法、立体交差道路およびその施工方法によれば、上載荷重がかかる場合でも、軽量にして簡素な構成とすることができ、施工効率を向上することができ、その結果、施工工期を短縮して施工コストを低減することができるという効果を奏する。
【図面の簡単な説明】
【図１】本発明の実施形態に係る立体交差道路の概略構成を説明するための平面説明図およびそのＡ−Ａ断面図である。
【図２】図１（ａ）におけるＢ視の側面説明図、Ｃ−Ｃ断面図およびＤ−Ｄ断面図である。
【図３】図１（ａ）におけるＥ−Ｅ断面図およびその部分拡大図である。
【図４】図３（ｂ）におけるＧ−Ｇ断面図および図１（ａ）におけるＨ−Ｈ断面図である。
【図５】耐薬品シートの配置を説明するための図１（ａ）におけるＥ−Ｅ断面の概略図である。
【図６】本発明の実施形態に係る発泡樹脂ブロックの積層構造体の延設方向断面の概略説明図である。
【図７】従来の立体交差道路の概略構成を説明するための断面説明図である。
【符号の説明】
１　立体交差道路
２　交差橋梁部
３　道路盛土部
４　道路（下側道路）
７ａ　アプローチ道路（上側道路）
７ｂ　橋梁道路（上側道路）
８ａ　ＥＰＳ盛土部（道路盛土構造体）
９　中間床版
１０ｂ　擁壁底部（下側荷重伝達版）
１２　縦桁
１３　橋脚
１３ａ　横桁
１３ｂ　コンクリート充填鋼管柱（コンクリートが充填された鋼管柱）
１４　場所打ち杭
１５　コンクリートパネル
１６ｂ　擁壁底部（下側荷重伝達版）
１８　橋梁部床版形成ブロック（床版）
２０　コンクリート床版（上側荷重伝達版）
２４　鋼棒（緊張材）
２５　気泡モルタル（気泡を含む充填材）
２６　ＥＰＳブロック（発泡樹脂ブロック）
２８ａ　路面表層（路面）
３０　ＥＰＳブロック積層体（発泡樹脂ブロックの積層構造体）
３１　Ｈ鋼
３３　耐薬品シート
３４　盛土部擁壁（擁壁）
【図１】
2004137671.tif 000003
【図２】
2004137671.tif 000004
【図３】
2004137671.tif 000005
【図４】
2004137671.tif 000006
【図５】
2004137671.tif 000007
【図６】
2004137671.tif 000008
【図７】
2004137671.tif 000009